(57)【要約】【課題】混色により直線を表示したときに直線が色分離して見えること、特に、黒地に混色により白色の直線を表示した際の直線の色分離を低減することができるカラーフィルタ基板及び表示装置を提供する。【解決手段】画素領域内に少なくとも４色の着色層が配列されたカラーフィルタ基板であって、上記カラーフィルタ基板は、全色の着色層を色相順に並べたときに隣り合わない少なくとも１組の着色層が画素領域内で隣接配置されたカラーフィルタ基板。【選択図】図１
2010271737.tif 000002
【特許請求の範囲】
【請求項１】
少なくとも４色の着色層が画素領域内で一次元配列されたカラーフィルタ基板であって、
該カラーフィルタ基板は、全色の着色層を色相順に並べたときに隣り合わない少なくとも１組の着色層が画素領域内で隣接配置されたものであることを特徴とするカラーフィルタ基板。
【請求項２】
前記カラーフィルタ基板は、全色の着色層を色相順に並べたときに隣り合わない全ての組の着色層が画素領域内で隣接配置されたものであることを特徴とする請求項１記載のカラーフィルタ基板。
【請求項３】
前記カラーフィルタ基板は、全色の着色層を色相順に並べたときに隣り合う少なくとも１組の着色層が画素領域内で隣接配置されていないものであることを特徴とする請求項１記載のカラーフィルタ基板。
【請求項４】
前記カラーフィルタ基板は、全色の着色層を色相順に並べたときに隣り合う少なくとも１組の着色層が画素領域内で離隔配置されたものであることを特徴とする請求項３記載のカラーフィルタ基板。
【請求項５】
前記カラーフィルタ基板は、最大輝度を有する着色層と２番目に大きい輝度を有する着色層とが画素領域内で隣接配置されたものであることを特徴とする請求項１記載のカラーフィルタ基板。
【請求項６】
前記最大輝度を有する着色層と２番目に大きい輝度を有する着色層とは、画素領域の中央部で隣接配置されることを特徴とする請求項５記載のカラーフィルタ基板。
【請求項７】
前記カラーフィルタ基板は、４色の着色層が画素領域内で１つずつストライプ状に配置されたものであることを特徴とする請求項１記載のカラーフィルタ基板。
【請求項８】
前記カラーフィルタ基板は、４番目に大きい輝度を有する着色層、最大輝度を有する着色層、２番目に大きい輝度を有する着色層、及び、３番目に大きい輝度を有する着色層が画素領域内でこの順に配置されたものであることを特徴とする請求項７記載のカラーフィルタ基板。
【請求項９】
前記カラーフィルタ基板は、赤色、緑色、黄色及び青色の着色層が画素領域内でこの順に配置されたものであることを特徴とする請求項７記載のカラーフィルタ基板。
【発明の詳細な説明】
【技術分野】
【０００１】
本発明は、カラーフィルタ基板及び表示装置に関する。より詳しくは、文字、写真、動画等を表示する多原色表示装置等に好適に用いられるカラーフィルタ基板、及び、液晶表示装置等の表示装置に関するものであり、例えば携帯電話等に用いられる。
【背景技術】
【０００２】
カラーフィルタ基板は、カラー表示を実現するために、表示装置内に搭載される部材の１つであり、一般的に、数色の着色層が画素毎に基板上に規則正しく配置されたものである。このような画素を構成する着色層の色の組み合わせとして、赤色（Ｒ）、緑色（Ｇ）及び青色（Ｂ）の３原色が用いられているが、これでは人間の眼が知覚することができる色域の一部しか表示することができず、色再現範囲が限られてしまう。そこで、現在では、色再現範囲を拡大する観点から、４つ以上の原色（以下、「多原色」ともいう。）の着色層が画素毎に配置されたものが提案されている。
【０００３】
このような多原色のカラーフィルタ基板としては、例えば、図５に示すように、Ｒ、Ｇ、Ｂ及び黄色（Ｙ）の副画素がマトリクス状に配列されたカラー表示装置の構成が開示されている（例えば、特許文献１、２参照。）。しかしながら、この構成によれば、副画素が時計回り又は反時計回りの方向に色相順（Ｒ、Ｙ、Ｇ、Ｂの順）に配置されていることから、反対色の関係を有するＲとＧ及びＹとＢとが対角配置され、色光同士が充分に混色されないため、例えば、混色により直線を表示したとき、直線が色分離して見える。特に、黒地にＲＧＢＹの混色により白色の直線を行方向又は列方向に表示する際には、色分離が顕著に視認されてしまうという点で改善の余地があった。
【０００４】
また、図１７に示すように、上記４色の副画素がストライプ状に配列されたものも開示されている（例えば、特許文献１、２参照。）。しかしながら、この構成でも、副画素が、その配列方向（行方向）に色相順に配置されていることから、反対色の関係を有するＲとＧ及びＢとＹとが他の色を１つ隔てて配置され、色光同士が充分に混色されないため、例えば、黒地にＲＧＢＹの混色により白色の直線を副画素の配列方向に垂直な方向（列方向）に表示した際に、直線が色分離してしまうという点で改善の余地があった。
【０００５】
なお、図１８に示すように、Ｒ、Ｇ、Ｂ、白色（Ｗ）のカラーユニットが、時計回りにＲ、Ｇ、Ｗ、Ｂの順でマトリクス状に配列された画素の構成が開示されている（例えば、特許文献３参照。）。しかしながら、この構成では、Ｗが有彩色でないため、通常のＲＧＢのカラーユニットからなる画素の構成と比較して、色再現範囲が小さくなることがあるという点で改善の余地があった。
【先行技術文献】
【特許文献】
【０００６】
【特許文献１】国際公開第０３／０８８２０３号パンフレット
【特許文献２】特開２００１−２０９０４７号公報
【特許文献３】米国特許第５６４２１７６号明細書
【発明の概要】
【発明が解決しようとする課題】
【０００７】
本発明は、上記現状に鑑みてなされたものであり、混色により直線を表示したときに直線が色分離して見えること、特に、黒地に混色により白色の直線を表示した際の直線の色分離を低減することができるカラーフィルタ基板及び表示装置を提供することを目的とするものである。
【課題を解決するための手段】
【０００８】
本発明者らは、画素領域内に少なくとも４色の着色層が配列されたカラーフィルタ基板について種々検討したところ、着色層の色相に着目した。そして、全色の着色層を色相順に並べたときに隣り合わない少なくとも１組の着色層を画素領域内で隣接配置させることにより、上記少なくとも１組の着色層からの色光同士を画素領域内で充分に混色させることができる結果、黒地に混色により白色の直線を表示した際の直線の色分離を低減することができることを見いだし、上記課題をみごとに解決することができることに想到し、本発明に到達したものである。
【０００９】
すなわち、本発明は、画素領域内に少なくとも４色の着色層が配列されたカラーフィルタ基板であって、上記カラーフィルタ基板は、全色の着色層を色相順に並べたときに隣り合わない少なくとも１組の着色層が画素領域内で隣接配置されたものであるカラーフィルタ基板である。
以下に本発明を詳述する。
【００１０】
本発明のカラーフィルタ基板における着色層の配列としては、少なくとも４色の着色層が画素領域毎に二次元配列された形態、及び、少なくとも４色の着色層が画素領域内で一次元配列された形態が挙げられる。すなわち、本発明のカラーフィルタ基板としては、少なくとも４色の着色層が画素領域毎に二次元配列されたカラーフィルタ基板であって、上記カラーフィルタ基板は、全色の着色層を色相順に並べたときに隣り合わない少なくとも１組の着色層が画素領域内で隣接配置されたものであるカラーフィルタ基板（以下、「第１のカラーフィルタ基板」ともいう。）、及び、少なくとも４色の着色層が画素領域内で一次元配列されたカラーフィルタ基板であって、上記カラーフィルタ基板は、全色の着色層を色相順に並べたときに隣り合わない少なくとも１組の着色層が画素領域内で隣接配置されたものであるカラーフィルタ基板（以下、「第２のカラーフィルタ基板」ともいう。）が挙げられる。
まず、本発明の第１のカラーフィルタ基板について説明する。
【００１１】
本発明の第１のカラーフィルタ基板は、少なくとも４色の着色層が画素領域毎に二次元配列されたものである。本明細書において、着色層とは、所定の波長範囲の可視光を選択的に透過させることができる層のことである。上記着色層の材質としては、例えば、顔料を分散させた樹脂等が挙げられる。着色層の色としては、赤色（Ｒ）、緑色（Ｇ）、青色（Ｂ）、黄色（Ｙ）、シアン（Ｃ）、マゼンタ（Ｍ）等が挙げられ、４色の組み合わせであれば、例えば、Ｒ、Ｇ、Ｂ及びＹの組み合わせ、Ｒ、Ｇ、Ｂ及びＣの組み合わせ等が挙げられる。また、画素領域とは、通常、本発明のカラーフィルタ基板を表示装置内に搭載した際に、表示装置の１つの画素に対応する領域のことである。すなわち、画素領域とは、１つの表示の最小単位に対応する領域のことであり、着色層の配列は、１つの画素領域内で規定される。表示装置のマトリクス表示を実現するために、上記画素領域は、マトリクス状に配置されていることが好ましい。
【００１２】
上記第１のカラーフィルタ基板では、少なくとも４色の着色層が画素領域毎に二次元配列されている。上記着色層が画素領域毎に二次元配列されるとは、各画素領域に設けられた複数の着色層が一方向に並んで配置されていない（着色層の配列方向が一方向のみでない）ことを意味し、好ましくは、各画素領域に設けられた全ての着色層が２以上の隣接する着色層を有する形態である。上記着色層が画素領域毎に二次元配列された形態としては、着色層の配列方向が二方向の場合であれば、上記着色層がマトリクス状に配置された形態（例えば、図１参照。）、上記着色層が直交しない縦方向及び横方向に配列された形態（例えば、図２参照。）等が挙げられる。上記画素領域には、同色の着色層が複数配置されてもよいが、各色の着色層が１つずつ配置されることが好ましい。上記画素領域内に配置される着色層の色の組み合わせは、特に限定されないが、全ての画素領域で同一であることが好ましい。上記画素領域では、着色層間における光漏れを防止するために、着色層間に遮光層が配置されていてもよく、上記遮光層は、上記着色層が重なることで形成されたものであってもよい。また、上記着色層をインクジェット法等で形成する際に、異なる色のインク同士が混色するのを防ぐために、着色層間には、凸状の構造物（バンク）が配置されていてもよい。
【００１３】
上記第１のカラーフィルタ基板は、全色の着色層を色相順に並べたときに隣り合わない少なくとも１組の着色層が画素領域内で隣接配置されたものである。これにより、上記少なくとも１組の着色層を透過した色光を画素領域内で充分に混色させることができる結果、黒地に混色により白色の直線を表示した際の直線の色分離を低減することができる。このような本発明の第１のカラーフィルタ基板では、例えば、赤色（Ｒ）、黄色（Ｙ）、緑色（Ｇ）及び青色（Ｂ）の着色層が用いられる場合であれば、Ｒの着色層とＧの着色層との組み合わせ、及び、Ｙの着色層とＢの着色層との組み合わせの少なくとも一方が隣接配置されることになる。
【００１４】
なお、本明細書において、「全色の着色層を色相順に並べる」とは、全色の着色層を色相順に環状に並べることを意味する。したがって、例えば、赤色（Ｒ）、黄色（Ｙ）、緑色（Ｇ）及び青色（Ｂ）の着色層を色相順に並べた場合、Ｒの着色層は、Ｙ及びＢの着色層と隣り合うが、Ｇの着色層と隣り合わず、Ｙの着色層は、Ｒ及びＧの着色層と隣り合うが、Ｂの着色層と隣り合わない。また、「１組の着色層が画素領域内で隣接配置される」とは、同一の画素領域内に配置された１組の着色層について、各々の一側面の少なくとも一部同士が向かい合って接していることを意味し、上記１組の着色層間に遮光層及び／又はバンクが配置されている場合には、同一の画素領域内に配置された１組の着色層について、各々の一側面の少なくとも一部同士が、遮光層及び／又はバンクの同一の部分を介して向かい合っていることを意味する。本発明の作用効果を効果的に奏する観点から、「着色層が画素領域内で隣接配置される」形態としては、同一の画素領域内に配置された１組の着色層について、各々の一側面の全体同士が向かい合って接していることが好ましく、上記１組の着色層間に遮光層及び／又はバンクが配置されている場合には、同一の画素領域内に配置された１組の着色層について、各々の一側面の全体同士が遮光層及び／又はバンクを介して向かい合っていることが好ましい。
【００１５】
本発明の第１のカラーフィルタ基板は、上記着色層を構成要素として含むものである限り、その他の構成要素を含んでいても含んでいなくてもよく、その構造は特に限定されないが、例えば、液晶表示装置に用いられる場合には、透明基板上に、着色層、オーバーコート層、透明電極、配向膜が順に積層配置された構造等が好適に用いられる。
また、本発明の第１のカラーフィルタ基板は、上述したように、同一の画素領域内に配置された着色層間に遮光層及び／又はバンクを含んでもよいが、異なる画素領域の着色層間にも遮光層及び／又はバンクを含んでもよく、この遮光層もまた、異なる色の着色層が重なることで形成されたものであってもよい。
【００１６】
なお、上記第１のカラーフィルタ基板は、少なくとも１つの画素領域内で全色の着色層を色相順に並べたときに隣り合わない少なくとも１組の着色層が隣接配置されたものであればよいが、全ての画素領域内で上記少なくとも１組の着色層が隣接配置されたものであることが特に好ましい。
【００１７】
本発明の第１のカラーフィルタ基板における好ましい形態について以下に詳しく説明する。
上記第１のカラーフィルタ基板は、全色の着色層を色相順に並べたときに隣り合わない全ての組の着色層（全ての着色層の組み合わせ）が画素領域内で隣接配置されたものであることが好ましい。これにより、黒地に混色により白色の直線を表示した際の直線の色分離をより効果的に低減することができる。このような形態の第１のカラーフィルタ基板では、例えば、赤色（Ｒ）、黄色（Ｙ）、緑色（Ｇ）及び青色（Ｂ）の着色層が用いられる場合であれば、Ｒの着色層とＧの着色層との組み合わせ、及び、Ｙの着色層とＢの着色層との組み合わせの両方が隣接配置されることになる。
【００１８】
上記第１のカラーフィルタ基板は、全色の着色層を色相順に並べたときに隣り合う少なくとも１組の着色層が画素領域内で隣接配置されていないものであることが好ましい。これにより、色相が近い着色層が画素領域内で隣接配置されたときに生じる直線の色付きを防止することができる。このような形態の第１のカラーフィルタ基板では、例えば、赤色（Ｒ）、黄色（Ｙ）、緑色（Ｇ）及び青色（Ｂ）の着色層が用いられる場合であれば、Ｒの着色層とＢの着色層との組み合わせ、Ｂの着色層とＧの着色層との組み合わせ、Ｇの着色層とＹの着色層との組み合わせ、及び、Ｙの着色層とＲの着色層との組み合わせのうち、いずれかの組み合わせが隣接配置されないことになる。このうち、Ｒの着色層とＢの着色層との組み合わせは、色相順に並べたときに隣り合う色同士ではあるが、主波長が大きく異なる色同士であることから、隣接配置されたときの影響が比較的小さい。また、Ｇの着色層とＹの着色層との組み合わせは、輝度の大きい色の組み合わせであることから、後述するように、直線の色分離防止以外の観点からは、隣接配置させることが好ましい。したがって、Ｂの着色層とＧの着色層との組み合わせが隣接配置されない形態、及び、Ｙの着色層とＲの着色層との組み合わせが隣接配置されない形態が特に好ましい。Ｂの光とＧの光とが混色した光はシアン系の光として認識され、一方、Ｙの光とＲの光とが混色した光はオレンジ系の光として視認されることから、画素領域内に、Ｂの着色層とＧの着色層とが隣接配置された部分と、Ｙの着色層とＲの着色層とが隣接配置された部分とが存在すると、直線がシアン系の色とオレンジ系の色とに分離して見えやすくなる。なお、本明細書において、「１組の着色層が画素領域内で隣接配置されない」形態としては、同一の画素領域内に配置された１組の着色層について、各々の頂点同士のみが接している形態（対角配置された形態）、同一の画素領域内に配置された１組の着色層が全く接していない形態（離隔配置された形態）等が挙げられ、第１のカラーフィルタ基板では、対角配置された形態が特に好適に用いられる。すなわち、上記第１のカラーフィルタ基板は、全色の着色層を色相順に並べたときに隣り合う少なくとも１組の着色層が画素領域内で対角配置されたものであることがより好ましい。これにより、色相が近い着色層が画素領域内で適度に離れて配置されるため、色相が近い着色層が画素領域内で隣接配置されたときに生じる直線の色付きをより効果的に防止することができる。
【００１９】
上記第１のカラーフィルタ基板は、最大輝度を有する着色層と２番目に大きい輝度を有する着色層とが画素領域内で隣接配置されたものであることが好ましい。これにより、黒地に混色により白色の直線を斜め方向に表示した際の右斜め方向と左斜め方向とにおける線幅の差を低減することができる。本発明の作用効果をより効果的に奏する観点から、（最大輝度）：（２番目に大きい輝度）＝４：３〜５：３であることが好ましい。このような形態の第１のカラーフィルタ基板では、例えば、赤色（Ｒ）、黄色（Ｙ）、緑色（Ｇ）及び青色（Ｂ）の着色層が用いられる場合であれば、Ｙの着色層とＧの着色層とが隣接配置されることになる。なお、本明細書において、「着色層の輝度」とは、一定の光量の白色光（標準の光Ｄ６５：色温度約６５０４Ｋ）を着色層に入射させたときの透過光の光量により求められるものである。
【００２０】
上記第１のカラーフィルタ基板は、４色の着色層が画素領域内で１つずつマトリクス状に配置されたものであることが好ましい。このマトリクス配置の形態によれば、黒地に混色により白色の直線を行方向又は列方向に表示した際の直線の色分離を低減することができる。また、本発明の作用効果を簡便かつ安価に得ることができる。なお、本明細書において、「４色の着色層が画素領域内で１つずつマトリクス状に配置される」とは、４つの異なる色の着色層が画素領域内で２行２列に配置されることを意味する。
【００２１】
上記マトリクス配置の形態を有する第１のカラーフィルタ基板は、最大輝度を有する着色層、２番目に大きい輝度を有する着色層、３番目に大きい輝度を有する着色層、及び、４番目に大きい輝度を有する着色層が画素領域内でこの順に（環状に並んで）配置されたものであることが好ましい。これによれば、画素領域の上半分と下半分との輝度比、又は、右半分と左半分との輝度比を１に近づけることができるため、直線の色分離を更に低減することができる。なお、本発明の作用効果を更に効果的に得る観点から、（最大輝度と４番目に大きい輝度との和）：（２番目に大きい輝度と３番目に大きい輝度との和）＝２：３〜３：２であることが好ましく、１：１に近いほどより好ましい。
【００２２】
上記マトリクス配置の形態を有する第１のカラーフィルタ基板は、赤色（Ｒ）、緑色（Ｇ）、黄色（Ｙ）及び青色（Ｂ）の着色層が画素領域内でこの順に（環状に並んで）配置されたものであることが好ましく、この形態では、Ｂの着色層とＧの着色層との組み合わせ、及び、Ｙの着色層とＲの着色層との組み合わせの両方が対角配置される。このような形態としては、図１に示すように、Ｒ、Ｇ、Ｙ及びＢの着色層が画素領域内でこの順に時計回りの方向に配置された形態等が挙げられる。これによれば、反対色の関係を有するＲの着色層とＧの着色層、及び、Ｙの着色層とＢの着色層とが隣接配置されることから、Ｒの光とＧの光、及び、Ｙの光とＢの光とを充分に混色させることができる。また、最大輝度を有するＹの着色層と４番目に大きい輝度を有するＢの着色層とが隣接配置される方向と、２番目に大きい輝度を有するＧの着色層と３番目に大きい輝度を有するＲの着色層とが隣接配置される方向とが、行方向又は列方向で一致するため、ＲＧの列及びＹＢの列同士の輝度比を１に近づけることができる。したがって、黒地にＲＧＢＹの混色により白色の直線を表示した際の直線の色分離を低減することができる。更に、最大輝度を有するＹの着色層と２番目に大きい輝度を有するＧの着色層とが隣接配置されるため、黒地にＲＧＢＹの混色により白色の直線を斜め方向に表示した際に、右斜め方向と左斜め方向とで線幅を同一にすることができる。
【００２３】
本明細書において、赤色とは、図３に示すように、ＸＹＺ表色系のｘｙ色度図において、主波長が５９７ｎｍ以上、７８０ｎｍ以下の色のことであり、好ましくは、主波長が６００ｎｍ以上、６２０ｎｍ以下の色のことである。黄色とは、主波長が５５８ｎｍ以上、５９７ｎｍ未満の色のことであり、好ましくは、主波長が５７０ｎｍ以上、５８２ｎｍ以下の色のことである。緑色とは、主波長が４８８ｎｍ以上、５５８ｎｍ未満の色のことであり、好ましくは、主波長が５２０ｎｍ以上、５５７ｎｍ以下の色のことである。青色とは、主波長が３８０ｎｍ以上、４８８ｎｍ未満の色のことであり、好ましくは、主波長が４５５ｎｍ以上、４７５ｎｍ以下の色のことである。
【００２４】
なお、上記Ｒ、Ｇ、Ｙ及びＢの着色層が画素領域内でこの順に配置される方向が、反時計回りの方向であってもよく、このような形態によっても、同様の作用効果を奏することができる。上記ＲＧＢＹの着色層の色配列の方向は、全ての画素領域で同一であってもよいし、画素領域毎に異なってもよい。また、上記ＲＧＢＹの着色層の色配列の方向が全ての画素領域で同一である場合、上記着色層の色の位置は、全ての画素領域で同一であってもよいし、画素領域毎に異なってもよい。
【００２５】
次に、本発明の第２のカラーフィルタ基板について説明する。
上記第２のカラーフィルタ基板では、少なくとも４色の着色層が画素領域内で一次元配列されている。上記着色層が一次元配列されるとは、着色層の配列方向が一方向であることを意味する。上記着色層が画素領域内で一次元配列された形態としては、（１）上記着色層が画素領域毎にストライプ状に配置された形態（例えば、図８参照。）、（２）上記（１）の形態において、各画素領域における着色層の色配列が同じである形態、（３）上記（２）の形態において、上記着色層が複数の画素領域に渡って配置されており、隣接する画素領域間で同色の着色層を共有している形態、（４）上記（１）〜（３）の形態において、上記着色層が屈曲した形状を有する形態（例えば、図９参照。）等が挙げられる。上記画素領域には、同色の着色層が複数配置されてもよいが、各色の着色層が１つずつ配置されることが好ましい。上記画素領域内に配置される着色層の色の組み合わせは、特に限定されないが、全ての画素領域で同一であることが好ましい。上記画素領域では、着色層間における光漏れを防止するために、着色層間に遮光層が配置されていてもよく、上記遮光層は、上記着色層が重なることで形成されたものであってもよい。また、上記着色層をインクジェット法等で形成する際に、異なる色のインク同士が混色するのを防ぐために、着色層間には、凸状の構造物（バンク）が配置されていてもよい。
【００２６】
上記第２のカラーフィルタ基板は、全色の着色層を色相順に並べたときに隣り合わない少なくとも１組の着色層が画素領域内で隣接配置されたものである。これにより、上記少なくとも１組の着色層を透過した色光を画素領域内で充分に混色させることができる結果、例えば、黒地に混色による白色の直線を着色層の配列方向に略垂直な方向に表示した際の直線の色分離を低減することができる。
【００２７】
本発明の第２のカラーフィルタ基板もまた、上記着色層を構成要素として含むものである限り、その他の構成要素を含んでいても含んでいなくてもよく、その構造は特に限定されないが、例えば、液晶表示装置に用いられる場合には、透明基板上に、着色層、オーバーコート層、透明電極、配向膜が順に積層配置された構造等が好適に用いられる。
また、本発明の第２のカラーフィルタ基板は、例えば、上述したように、同一の画素領域内に配置された着色層間に遮光層及び／又はバンクを含んでもよいが、異なる画素領域の着色層間にも遮光層及び／又はバンクを含んでもよく、この遮光層もまた、異なる色の着色層が重なることで形成されたものであってもよい。なお、上記第２のカラーフィルタ基板は、少なくとも１つの画素領域内で全色の着色層を色相順に並べたときに隣り合わない少なくとも１組の着色層が隣接配置されたものであればよいが、全ての画素領域内で上記少なくとも１組の着色層が隣接配置されたものであることが特に好ましい。
【００２８】
本発明の第２のカラーフィルタ基板における好ましい形態について以下に詳しく説明する。
上記第２のカラーフィルタ基板は、全色の着色層を色相順に並べたときに隣り合わない全ての組の着色層が画素領域内で隣接配置されたものであることが好ましい。これにより、上記直線の色分離をより効果的に低減することができる。
【００２９】
上記第２のカラーフィルタ基板は、全色の着色層を色相順に並べたときに隣り合う少なくとも１組の着色層が画素領域内で隣接配置されていないものであることが好ましい。これにより、色相が近い着色層が画素領域内で隣接配置されたときに生じる直線の色付きを防止することができる。第２のカラーフィルタ基板では、離隔配置された形態が特に好適に用いられる。すなわち、上記第２のカラーフィルタ基板は、全色の着色層を色相順に並べたときに隣り合う少なくとも１組の着色層が画素領域内で離隔配置されたものであることがより好ましい。これにより、色相が近い着色層が画素領域内で離して配置されるため、色相が近い着色層が画素領域内で隣接配置されたときに生じる直線の色付きをより効果的に防止することができる。
【００３０】
上記第２のカラーフィルタ基板は、最大輝度を有する着色層と２番目に大きい輝度を有する着色層とが画素領域内で隣接配置されたものであることが好ましい。これにより、最大輝度を有する着色層と２番目に大きい輝度を有する着色層からの色光同士を画素領域内で充分に混色させることができる結果、上記直線の色分離を更に低減することができる。本発明の作用効果をより効果的に奏する観点から、（最大輝度）：（２番目に大きい輝度）＝４：３〜５：３であることが好ましい。
【００３１】
上記最大輝度を有する着色層と２番目に大きい輝度を有する着色層とは、画素領域の中央部で隣接配置されることが好ましい。これにより、上記直線の色分離を特に低減することができる。なお、画素領域の中央部とは、例えば、同一の形状を有する第１〜４の着色層からなる４つの着色層が列方向にこの順に一次元配列された場合には、第２及び３の着色層が配置された領域を指し、例えば、同一の形状を有する第１〜５の着色層からなる５つの着色層が列方向にこの順に一次元配列された場合には、第２及び３の着色層が配置された領域、又は、第３及び４の着色層が配置された領域を指す。
【００３２】
上記第２のカラーフィルタ基板は、４色の着色層が画素領域内で１つずつストライプ状に配置されたものであることが好ましい。このストライプ配置の形態によれば、黒地に混色により白色の直線を着色層の配列方向に垂直な方向に表示した際の直線の色分離を低減することができる。また、本発明の作用効果を簡便かつ安価に得ることができる。なお、本明細書において、「４色の着色層が画素領域内で１つずつストライプ状に配置される」とは、４つの異なる色の着色層が画素領域内で１行４列又は４行１列に配置されることを意味する。
【００３３】
上記ストライプ配置の形態を有する第２のカラーフィルタ基板は、４番目に大きい輝度を有する着色層、最大輝度を有する着色層、２番目に大きい輝度を有する着色層、及び、３番目に大きい輝度を有する着色層が画素領域内でこの順に配置されたものであることが好ましい。これによれば、最大輝度を有する着色層と２番目に大きい輝度を有する着色層とが画素領域の略中心に配置され、かつ画素領域の右半分と左半分との輝度比を１に近づけることができるため、着色層の配列方向に垂直な方向に直線を表示した際の直線の色分離を更に低減することができる。なお、本発明の作用効果を更に効果的に発揮する観点から、（最大輝度と４番目に大きい輝度との和）：（２番目に大きい輝度と３番目に大きい輝度との和）＝２：３〜３：２であることが好ましく、１：１に近いほどより好ましい。
【００３４】
上記ストライプ配置の形態を有する第２のカラーフィルタ基板は、赤色（Ｒ）、緑色（Ｇ）、黄色（Ｙ）及び青色（Ｂ）の着色層が画素領域内でこの順に配置されたものであることが好ましい。このような形態としては、図８に示すように、ストライプ状のＲ、Ｇ、Ｙ及びＢの着色層が画素領域内で図中の右方向に順に配置された形態等が挙げられる。これによれば、反対色の関係を有するＲの着色層とＧの着色層、及び、Ｙの着色層とＢの着色層とが隣接配置されることから、Ｒの光とＧの光、及び、Ｙの光とＢの光とを充分に混色させることができる。また、画素領域の一方の半分には最大輝度を有するＹの着色層及び４番目に大きい輝度を有するＢの着色層が配置され、他方の半分には、２番目に大きい輝度を有するＧの着色層及び３番目に大きい輝度を有するＲの着色層が配置されることから、画素領域の一方の半分及び他方の半分同士の輝度比を１に近づけることができる。したがって、黒地にＲＧＢＹの混色により白色の直線を表示した際の直線の色分離を低減することができる。
【００３５】
なお、上記ストライプ状のＲ、Ｇ、Ｙ及びＢの着色層が画素領域内でこの順に配置される方向は、図８中の左方向であってもよく、このような形態によっても、同様の作用効果を奏することができる。上記ＲＧＢＹの着色層の色配列の方向は、全ての画素領域で同一であってもよいし、画素領域毎に異なってもよい。
【００３６】
本発明はそして、上記カラーフィルタ基板を備える表示装置でもある。これによれば、黒地に混色による白色の直線を色分離なく表示することができる。上記表示装置としては、液晶表示装置が好ましい。上記液晶表示装置の好ましい形態としては、上記カラーフィルタ基板と薄膜トランジスタアレイ基板との間に液晶層が狭持されたもの等が挙げられる。なお、上記液晶表示装置は、透過型液晶表示装置であってもよく、透過反射両用型液晶表示装置であってもよく、反射型液晶表示装置であってもよい。
【発明の効果】
【００３７】
本発明のカラーフィルタ基板は、上述したように、全色の着色層を色相順に並べたときに隣り合わない少なくとも１組の着色層が画素領域内で隣接配置されたものであることから、混色により直線を表示したときに直線が色分離して見えること、特に、黒地に混色により白色の直線を表示した際の直線の色分離を低減することができる。
【図面の簡単な説明】
【００３８】
【図１】本発明の実施例１に係るカラーフィルタ基板の画素構成を示す平面模式図である。
【図２】本発明のカラーフィルタ基板の画素構成の一例を示す平面模式図である。
【図３】色の定義を示すＸＹＺ表色系のｘｙ色度図である。
【図４】本発明の実施例２に係るカラーフィルタ基板の画素構成を示す平面模式図である。
【図５】比較例１に係るカラーフィルタ基板の画素構成を示す平面模式図である。
【図６】（ａ）及び（ｂ）は、本発明の実施例１に係るカラーフィルタ基板を用いて、斜め方向に直線を表示したときの様子を示す平面模式図である。
【図７】（ａ）及び（ｂ）は、本発明のカラーフィルタ基板の構成の一例を示す平面模式図である。
【図８】本発明の実施例３に係るカラーフィルタ基板の画素構成を示す平面模式図である。
【図９】本発明のカラーフィルタ基板の画素構成の一例を示す平面模式図である。
【図１０】本発明の実施例４に係るカラーフィルタ基板の画素構成を示す平面模式図である。
【図１１】本発明の実施例５に係るカラーフィルタ基板の画素構成を示す平面模式図である。
【図１２】本発明の実施例６に係るカラーフィルタ基板の画素構成を示す平面模式図である。
【図１３】本発明の実施例７に係るカラーフィルタ基板の画素構成を示す平面模式図である。
【図１４】本発明の実施例８に係るカラーフィルタ基板の画素構成を示す平面模式図である。
【図１５】本発明の実施例９に係るカラーフィルタ基板の画素構成を示す平面模式図である。
【図１６】本発明の実施例１０に係るカラーフィルタ基板の画素構成を示す平面模式図である。
【図１７】比較例２に係るカラーフィルタ基板の画素構成を示す平面模式図である。
【図１８】従来のカラーフィルタ基板の画素構成を示す平面模式図である。
【図１９】本発明の一実施形態にかかる液晶表示装置の構成を示す説明図である。
【図２０】本発明の他の実施形態にかかる液晶表示装置の構成を示す説明図である。
【図２１】本発明の他の実施形態にかかる液晶表示装置の構成を示す説明図である。
【図２２】本発明の他の実施形態にかかる液晶表示装置の構成を示す説明図である。
【発明を実施するための形態】
【００３９】
以下に実施例を掲げ、本発明を更に詳細に説明するが、本発明はこれらの実施例のみに限定されるものではない。なお、本発明における着色層は、無彩色のものを含まない。
【００４０】
（実施例１）
図１は、本発明の実施例１に係るカラーフィルタ基板の画素構成を示す平面模式図である。
本実施例のカラーフィルタ基板では、赤色の着色層１０Ｒ、緑色の着色層１０Ｇ、黄色の着色層１０Ｙ及び青色の着色層１０Ｂが画素毎にマトリクス状に配列されている。これらの着色層の色配列は、時計回りに赤色（Ｒ）、緑色（Ｇ）、黄色（Ｙ）、青色（Ｂ）の順になっており、色相順（Ｒ、Ｙ、Ｇ、Ｂ）に一致しない。
【００４１】
なお、赤色の着色層１０Ｒ、緑色の着色層１０Ｇ、黄色の着色層１０Ｙ及び青色の着色層１０Ｂについて、透過スペクトルの主波長はそれぞれ、６０７ｎｍ、５７３ｎｍ、５５０ｎｍ及び４６６ｎｍである。また、輝度比は、（赤色の着色層１０Ｒ）：（緑色の着色層１０Ｇ）：（黄色の着色層１０Ｙ）：（青色の着色層１０Ｂ）＝５：１０：１６：２である。
【００４２】
（実施例２）
図４は、実施例２に係るカラーフィルタ基板の画素構成を示す平面模式図である。
実施例２に係るカラーフィルタ基板は、着色層の色配列が、時計回りにＲ、Ｇ、Ｂ、Ｙの順になっており、実施例１における色配列と異なる。しかしながら、着色層の色配列が色相順に一致せず、反対色の関係を有する赤色の着色層１０Ｒと緑色の着色層１０Ｇ、及び、黄色の着色層１０Ｙと青色の着色層１０Ｂの両方が隣接配置されている点で、実施例１と同じである。
【００４３】
（比較例１）
図５は、比較例１に係るカラーフィルタ基板の画素構成を示す平面模式図である。
比較例１に係るカラーフィルタ基板は、着色層の色配列が、時計回りにＲ、Ｙ、Ｇ、Ｂの順になっており、色相順に一致していること以外は、実施例１と同じである。なお、赤色の着色層５０Ｒ、緑色の着色層５０Ｇ、黄色の着色層５０Ｙ及び青色の着色層５０Ｂの光学特性は、それぞれ赤色の着色層１０Ｒ、緑色の着色層１０Ｇ、黄色の着色層１０Ｙ及び青色の着色層１０Ｂと同じである。
【００４４】
＜実施例１及び２と比較例１との比較＞
比較例１では、図５に示すように、反対色の関係を有する赤色の着色層５０Ｒと緑色の着色層５０Ｇ、及び、黄色の着色層５０Ｙと青色の着色層５０Ｂとが対角配置されていることから、Ｒの光とＧの光、及び、Ｙの光とＢの光とが充分に混色されない。また、列方向の輝度比が、（Ｙ及びＲが配置される列の輝度和）：（Ｇ及びＢが配置される列の輝度和）＝２１：１２であり、１：１から離れている。したがって、黒地にＲＧＢＹの混色により白色の縦線を引いた際に、直線が黄オレンジ系の色と青系の色とに分離して見える。
【００４５】
これに対し、実施例１及び２では、図１及び４に示すように、反対色の関係を有する赤色の着色層１０Ｒと緑色の着色層１０Ｇ、及び、黄色の着色層１０Ｙと青色の着色層１０Ｂの両方が列方向で隣接配置されていることから、Ｒの光とＧの光、及び、Ｙの光とＢの光とを充分に混色することができる。また、列方向の輝度比が、（Ｇ及びＲが配置される列の輝度和）：（Ｙ及びＢが配置される列の輝度和）＝１５：１８であり、比較例１よりも１：１に近い。したがって、実施例１及び２では、黒地にＲＧＢＹの混色により白色の縦線を引いた際の直線の色分離を充分に低減することができる。
【００４６】
更に、実施例１では、最も輝度が大きい黄色の着色層１０Ｙと２番目に輝度が大きい緑色の着色層１０Ｇとが行方向に隣接配置されていることから、図６（ａ）及び（ｂ）に示すように、黒地にＲＧＢＹの混色により白色の直線を斜め方向に表示した際に、右斜め方向と左斜め方向とで線幅を同一にすることができる。
なお、実施例１、２及び比較例１では、着色層の色配列を時計回りの方向でしか考慮していないが、反時計回りの方向で考慮した場合も同様である。また、実施例１に係るカラーフィルタ基板は、図７（ａ）に示す構成を有していたが、例えば、図７（ｂ）に示すような構成を有していても、同様の作用効果を奏することができる。
【００４７】
（実施例３）
図８は、本発明の実施例３に係るカラーフィルタ基板の画素構成を示す平面模式図である。
本実施例のカラーフィルタ基板では、赤色の着色層１０Ｒ、緑色の着色層１０Ｇ、黄色の着色層１０Ｙ及び青色の着色層１０Ｂが画素毎にストライプ状に配列されている。これらの着色層の色配列は、図８中の右方向に赤色（Ｒ）、緑色（Ｇ）、黄色（Ｙ）、青色（Ｂ）の順になっており、この順は色相順（Ｒ、Ｂ、Ｇ、Ｙ）に一致しない。
なお、各色の着色層の透過スペクトルの主波長及び輝度比については、実施例１と同じである。
【００４８】
（実施例４〜６）
図１０〜１２はそれぞれ、本発明の実施例４〜６に係るカラーフィルタ基板の画素構成を示す平面模式図である。
実施例４〜６に係るカラーフィルタ基板は、着色層の色配列が実施例３における色配列と異なる。しかしながら、着色層の色配列が色相順に一致せず、反対色の関係を有する赤色の着色層１０Ｒと緑色の着色層１０Ｇ、及び、黄色の着色層１０Ｙと青色の着色層１０Ｂの両方が隣接配置されている点で、実施例３と同じである。
【００４９】
（実施例７、８）
図１３、１４はそれぞれ、本発明の実施例７、８に係るカラーフィルタ基板の画素構成を示す平面模式図である。
実施例７に係るカラーフィルタ基板は、図１３に示すように、着色層の色配列が実施例３における色配列と異なる。しかしながら、着色層の色配列が、色相順に一致せず、反対色の関係を有する黄色の着色層１０Ｙと青色の着色層１０Ｂとが隣接配置されている点、及び、最も輝度が大きい黄色の着色層１０Ｙと２番目に輝度が大きい緑色の着色層１０Ｇとが隣接配置されている点で、実施例３と同じである。
【００５０】
実施例８に係るカラーフィルタ基板もまた、図１４に示すように、着色層の色配列が実施例３における色配列と異なる。しかしながら、着色層の色配列が、色相順に一致せず、反対色の関係を有する赤色の着色層１０Ｒと緑色の着色層１０Ｇとが隣接配置されている点、及び、最も輝度が大きい黄色の着色層１０Ｙと２番目に輝度が大きい緑色の着色層１０Ｇとが隣接配置されている点で、実施例３と同じである。
【００５１】
（実施例９、１０）
図１５、１６はそれぞれ、本発明の実施例９、１０に係るカラーフィルタ基板の画素構成を示す平面模式図である。
実施例９に係るカラーフィルタ基板は、図１５に示すように、着色層の色配列が実施例３における色配列と異なる。しかしながら、着色層の色配列が色相順に一致せず、反対色の関係を有する黄色の着色層１０Ｙと青色の着色層１０Ｂとが隣接配置されている点で、実施例３と同じである。
【００５２】
実施例１０に係るカラーフィルタ基板は、図１６に示すように、着色層の色配列が実施例３における色配列と異なる。しかしながら、着色層の色配列が色相順に一致せず、反対色の関係を有する赤色の着色層１０Ｒと緑色の着色層１０Ｇとが隣接配置されている点で、実施例３と同じである。
【００５３】
（比較例２）
図１７は、比較例２に係るカラーフィルタ基板の画素構成を示す平面模式図である。
比較例２に係るカラーフィルタ基板は、赤色の着色層５０Ｒ、緑色の着色層５０Ｇ、黄色の着色層５０Ｙ及び青色の着色層５０Ｂが、図１７中の右方向にＲ、Ｙ、Ｇ、Ｂの順にストライプ状に配置されており、色相順に一致していること以外は、実施例３と同じである。
【００５４】
＜実施例３〜１０と比較例２との比較＞
比較例２では、図１７に示すように、反対色の関係を有する赤色の着色層５０Ｒと緑色の着色層５０Ｇ、及び、黄色の着色層５０Ｙと青色の着色層５０Ｂとがそれぞれ離れて配置されていることから、Ｒの光とＧの光、及び、Ｙの光とＢの光とが充分に混色されない。したがって、黒地にＲＧＢＹの混色により白色の縦線を引いた際に、直線が色分離する。
【００５５】
これに対し、実施例７〜１０では、図１３〜１６に示すように、反対色の関係を有する赤色の着色層１０Ｒと緑色の着色層１０Ｇ、及び、黄色の着色層１０Ｙと青色の着色層１０Ｂのいずれか一方が隣接配置されている。また、実施例３〜６では、図８及び１０〜１２に示すように、反対色の関係を有する赤色の着色層１０Ｒと緑色の着色層１０Ｇ、及び、黄色の着色層１０Ｙと青色の着色層１０Ｂの両方が隣接配置されている。したがって、実施例７〜１０では、黒地にＲＧＢＹの混色により白色の縦線を引いた際の直線の色分離を低減することができ、実施例３〜６では、より低減することができる。
【００５６】
また、実施例３、７及び８では、図８、１３及び１４に示すように、最も輝度が大きい黄色の着色層１０Ｙと２番目に輝度が大きい緑色の着色層１０Ｇとが隣接配置されたことから、これらの着色層が離れて配置されることによる直線の色分離を防止することができる。更に、実施例３では、図８に示すように、最も輝度が大きい黄色の着色層１０Ｙと２番目に輝度が大きい緑色の着色層１０Ｇとが、画素領域の中央部で隣接配置されたことから、上記直線の色分離を更に低減することができる。
そして、実施例３〜６では、図８及び１０〜１２に示すように、画素領域の右半分と左半分との輝度比が、１８：１５又は１５：１８であり、比較例２よりも１：１により近い。したがって、実施例３〜６では、画素領域の右半分と左半分との輝度比が１：１から離れることによる直線の色分離を低減することができる。
なお、実施例３〜１０及び比較例２では、着色層の色配列をストライプの右方向でしか考慮していないが、ストライプの左方向で考慮した場合も同様である。
【００５７】
（実施例１１）
以下、本発明の着色層の色配列を含む液晶表示装置の一例について説明する。
本実施例にかかる液晶表示装置（本表示装置）は、反射透過型の液晶表示装置である。
すなわち、本表示装置では、観察者は、屋内等の比較的に暗い照明下では、バックライト光を利用した透過表示光を主として観察することになる（透過モード）。一方、屋外等の比較的に明るい照明下では、周囲光を利用した反射表示光を主として観察することになる（反射モード）。
【００５８】
まず、本表示装置の構成について説明する。
図１９は、本表示装置の概略構成を示す断面図である。
この図に示すように、本表示装置は、対向基板１１と画素基板１２との間に、液晶層１３を挟んだ構成を有している。
【００５９】
また、本表示装置における１副画素の領域は、図１９に示す反射領域ａと透過領域ｂとを組み合わせた領域である。
ここで、反射領域ａは、反射表示に使用される副画素領域（反射表示領域）であり、透過領域ｂは、透過表示に使用される副画素領域（透過表示領域）である。
【００６０】
また、各副画素は、後述するカラーフィルタ部２４における４種類の着色層（Ｒ〜Ｙの着色層）に応じた、４種類（４色）の副画素（赤色（Ｒ）副画素，青色（Ｂ）副画素，緑色（Ｇ）副画素，黄色（Ｙ）副画素）に分類される。
【００６１】
図１９に示すように、対向基板１１は、ガラス基板２１の外側に位相差板２２，偏光板２３を備え、また、ガラス基板２１の内側にカラーフィルタ部２４を備えた構成である。
位相差板２２は、自身を透過する光の偏光状態を調整するものである。
偏光板２３は、特定の偏光成分の光だけを透過させるものである。
【００６２】
カラーフィルタ部２４は、自身を透過する光の色を選択するものであり、赤色（Ｒ）の着色層，青色（Ｂ）の着色層，緑色（Ｇ）の着色層，黄色（Ｙ）の着色層の４つの着色層を有している。そして、各Ｒ〜Ｙの着色層は、それぞれ、入射光の赤色成分，青色成分，緑色成分，黄色成分（赤と緑の両色成分）を主に透過させるようになっている。
【００６３】
また、Ｒ〜Ｙの着色層は、それぞれ、上記した反射領域ａ及び透過領域ｂからなるＲ〜Ｙ副画素に、１つずつ配されている。そして、Ｂの着色層、Ｒの着色層、Ｇの着色層及びＹの着色層が順に配置されている。したがって、図１９に示す表示装置では、Ｒの着色層とＧの着色層との組み合わせ、及び、Ｙの着色層とＢの着色層との組み合わせの両方が隣接配置されている。これにより、透過表示では、上記組み合わせの着色層を透過した色光を画素領域内で充分に混色させることができる結果、黒地に混色により白色の直線を表示した際の直線の色分離を低減することができる。
【００６４】
また、各Ｒ〜Ｙの着色層のサイズ及び膜厚は、反射領域ａ及び透過領域ｂの双方において、ほぼ等しくなっている。なお、必ずしもサイズ及び膜厚を等しくする必要はない。着色層のサイズ又は膜厚を変更すると各色の明るさが変化するので、ホワイトバランスが崩れないように各色の着色層を設計することが好ましい。
【００６５】
更に、カラーフィルタ部２４内における副画素間に対応する部分には、ブラックマトリクスＢＭが設けられている。
そして、特に、本表示装置では、図１９に示すように、Ｙ副画素の反射領域ａにＢＭを塗布し、この反射領域ａを遮光するように設計されている。
【００６６】
一方、画素基板１２は、ガラス基板３１の外側に位相差板３２，偏光板３３を備え、また、ガラス基板３１の内側に、凸部３７，反射電極３４及び透明電極３５を備えた構成である。
位相差板３２は、位相差板２２と同様に、自身を透過する光の偏光状態を調整するものである。
偏光板３３は、偏光板２３と同様に、特定の偏光成分の光だけを透過させるものである。
【００６７】
また、画素基板１２の裏側（液晶層１３のない側）には、バックライト（外部光源）３６が備えられている。バックライト３６は、透過表示において利用されるＬＥＤである。反射電極（反射材）３４は、光反射機能を有する電極であり、Ａｌ等の金属から構成される。また、透明電極３５は、ＩＴＯ等の透明な導電材料からなる電極である。
【００６８】
凸部３７は、反射領域ａにおける反射電極３４の下層に配され、反射電極３４を形成するための台となるものである。
また、本表示装置では、この凸部３７により、反射領域ａに対応する液晶層１３と透過領域ｂに対応する液晶層１３との、厚み（セル厚）を変えている。
【００６９】
次に、カラーフィルタ部２４の、色再現範囲（フィルタ色再現範囲）について説明する。
カラーフィルタ部２４から出射される光の色は、透過モードの場合には、ＲＧＢＹの４原色を混合した加法混色によって、反射モードの場合にはＲＧＢの３原色の加法混色によって表現される。
【００７０】
そして、この４原色（あるいは３原色）の色座標をｘｙ色度図（ＸＹＺ表色系色度図；ＣＩＥに基づく）にプロットしたときに表示される４角形の内部（あるいは３角形の内部）が、フィルタ色再現範囲である。また、フィルタ色再現範囲の狭さ又は広さは、上記の４角形（あるいは３角形）の面積に応じたものである。
従って、カラーフィルタ部２４の色再現範囲とは、カラーフィルタ部２４によって得られる色の濃さに応じたものである。
【００７１】
すなわち、一般に、フィルタ色再現範囲の狭い場合には、カラーフィルタ部によって得られる色は薄い色のみとなる。
一方、フィルタ色再現範囲の広い場合には、カラーフィルタ部によって濃い色まで表現できる（表示色を多様化できる）。また、フィルタ色再現範囲が広いほど、カラーフィルタ部を透過する光の量が制限される（光量が減少する）。
【００７２】
そして、本表示装置では、透過モードでは、４原色を用いた表示を行うため、３原色を用いた表示を行う場合に比して、フィルタ色再現範囲を広げることが可能となっている。
【００７３】
また、本表示装置では、反射領域ａからの表示光（反射表示光）は、カラーフィルタ部２４を２回通過する。一方、透過領域ｂからの表示光（透過表示光）は、カラーフィルタ
部２４を１回だけ通過する。
このため、反射領域ａのフィルタ色再現範囲（反射フィルタ範囲）は、カラーフィルタ部に光を２回透過させて得られるものである。一方、透過領域のフィルタ色再現範囲（透過フィルタ範囲）は、カラーフィルタ部に光を１回だけ透過させて得られるものである。
【００７４】
このように、本表示装置では、透過領域ｂと反射領域ａとで、カラーフィルタ部２４における使用する着色層の色数、及び、カラーフィルタ部２４の透過回数が異なっている。
従って、透過フィルタ範囲と反射フィルタ範囲とを、何らかの工夫によってできるだけ等しくする（両モード間の色調整を行う）ことが好ましい。これにより、反射モードと透過モードとにおいてカラーフィルタ部２４から得られる光の色再現範囲を等しくできる。
また、このような色調整は、例えば、反射領域ａと透過領域ｂとで、カラーフィルタ部２４の厚さを変えることで実現できる。
【００７５】
また、本表示装置では、位相差板２２・３２として、λ／４板を用いた。また、偏光板２３・３３及び位相差板２２・３２の配置並びに構成を調整することによって、偏光板２２と位相差板２３との組み合わせが１つの円偏光板（表偏光板）としての機能するように、また、偏光板３３と位相差板３２との組み合わせが、他の１つの円偏光板（裏面偏光板）としての機能を有するように設定した。
更に、上記の表偏光板（対向基板１１側）と裏面偏光板（画素基板１２側）とを、光学的に互いに直交する関係に配置した。
従って、電極に電圧を印加しない場合、液晶層１３の液晶材料の液晶分子は、基板１１・１２に対して垂直に配向する。従って、この場合、液晶層１３は外部に光を透過しないため、本表示装置は黒表示を行うこととなる。
【００７６】
なお、図１９の構成では、反射モードで３色の表示を行うために、Ｙ副画素の反射領域ａにＢＭを設け、この領域を遮光するようにしている。しかしながら、これに限らず、Ｙ副画素の反射領域ａに他の遮光材料を塗布することで、この領域を遮光してもよい。
【００７７】
また、Ｙ副画素から反射領域ａをなくし、Ｙ副画素を透過領域ｂのみからなる構成としてもよい。
例えば、本表示装置を、図２０に示すような構成としてもよい。この構成では、Ｙ副画素は、他のＲＧＢ副画素と同様のサイズ内に、透過領域ｂのみを設けた設計となっている。従って、Ｙ副画素の透過領域ｂは、反射領域ａの分だけ、他のＲＧＢ副画素の透過領域ｂよりも広くなっている。
この場合には、ＢＭによって遮光する部分を狭くできるので、光の利用効率を向上させられる。
【００７８】
なお、この構成において、Ｙ副画素の透過領域ｂ内に、図１９に示した凸部３７を設け、この凸部３７の上に透明電極３５を設けてもよい。この構成は、図１９に示した構成において、反射電極３４に代えて透明電極３５を設ければよいので、容易に実現できる。
しかしながら、凸部３７のない構成とすれば、樹脂からなる凸部３７での光吸収をなくせるので、光の利用効率を向上させられる。
【００７９】
また、図２０に示したような、Ｙ副画素を透過領域ｂのみから構成する場合には、反射モードでは、ＲＧＢの３副画素で表示を行う一方、透過モードでは、ＲＧＢＹの４副画素で表示を行うように、液晶層１３を駆動することとなる。
【００８０】
また、Ｙ副画素を透過領域ｂのみから構成する場合、図２１に示すように、Ｙ副画素の透過領域ｂを、他のＲＧＢ副画素の透過領域ｂと等しいサイズとすることも可能である。この場合には、Ｙ副画素は、他のＲＧＢ副画素よりも、反射領域ａの分だけ狭くなる。
【００８１】
また、本実施例では、カラーフィルタ部２４を、ＲＧＢＹの４色のカラーフィルタ部であるとしている。しかしながら、これに限らず、本表示装置のカラーフィルタ部２４を、Ｒ，Ｇ，Ｂ，Ｙの着色層に加えて、入射光のシアン成分を主に透過させるＣ（シアン）の着色層を備えた、５色の着色層部としてもよい。
【００８２】
図２２は、Ｒ，Ｇ，Ｂ，Ｙ，Ｃの着色層を備えたカラーフィルタ部２４を有する、本表示装置の構成を示す説明図である。
この構成では、本表示装置の副画素は、カラーフィルタ部２４における５種類の着色層に応じた、５種類（５色）の副画素（赤（Ｒ）副画素，青（Ｂ）副画素，緑（Ｇ）副画素，黄（Ｙ）副画素，シアン（Ｃ）副画素）に分類される。
また、この構成では、Ｒの着色層、Ｇの着色層、Ｙの着色層、Ｃの着色層及びＢの着色層が順に配置されている。したがって、図２２に示す表示装置では、Ｒの着色層とＧの着色層との組み合わせ、及び、Ｙの着色層とＣの着色層との組み合わせが隣接配置されている。これにより、透過表示では、上記組み合わせの着色層を透過した色光を画素領域内で充分に混色させることができる結果、黒地に混色により白色の直線を表示した際の直線の色分離を低減することができる。
【００８３】
また、この構成では、ＲＧＢＹ副画素に反射領域ａ及び透過領域ｂが設けられており、図１９に示したような、Ｙ副画素の反射領域ａを覆うＢＭも設けられていない。一方、Ｃ副画素については、反射領域ａのみが設けられている（すなわち、Ｃ副画素では、カラーフィルタ部２４の全面に反射電極３４が設けられている）。また、各副画素のサイズは等しく構成されている。
【００８４】
従って、この構成では、透過モードの場合に４種類の着色層（Ｒ，Ｇ，Ｂ，Ｙの着色層）を用いて画像を表示する一方、反射モードでは、５種類の着色層（Ｒ，Ｇ，Ｂ，Ｙ，Ｃの着色層）を用いた画像表示を行うように設計されている。
【００８５】
この構成では、黄色の補色である青色成分を多く透過するＣの着色層を用いることにより、反射モードのホワイトバランスが黄色側へシフトすることを抑えられる。また、これにより、反射時の明るさを向上することも期待できる。
また、反射モードにおいて、Ｙ副画素及びＣ副画素を用い５色表示を行うため、このモードでの明るさおよび色再現範囲を向上させられる。
【００８６】
また、本実施の形態では、カラーフィルタ部２４におけるＲ〜Ｙの着色層（及びＣの着色層）の膜厚を、ほぼ等しくするとしている。しかしながら、これに限らず、Ｙの着色層の膜厚を厚くすることや、ＲＧＢＹ副画素（ＲＧＢＹＣ副画素）の比率を変えたりすることにより、透過フィルタ範囲を拡大することも可能である。
【００８７】
また、本実施の形態では、バックライト３６がＬＥＤからなるとしている。しかしながら、これに限らず、バックライト３６を、ＣＣＦＴ（冷陰極管）やＨＣＦＴ（熱陰極管）から構成してもよい。
【００８８】
また、ＲＧＢＹで画素を作ると、単色ごとの明るさはＲＧＢ３色の画像よりも低くなる。このため、ＲＧを点灯させたときには、Ｙも点灯させて明るさ及び色度を得ることが好ましい。同じ入力のＲＧを入れたときに３原色と４原色ではＲＧのみで表示される明るさに違いがあり、Ｙを点灯させて明るさを調節することが好ましいといえる。
【００８９】
また、本実施例では、本表示装置を液晶表示装置であるとしている。しかしながら、これに限らず、本表示装置を、他の方式の表示装置として構成することもできる。すなわち、本表示装置は、反射モードと透過モードとの双方で、多色のカラーフィルタ部を介して表示を行うタイプの表示装置であれば、どのような方式の表示装置にも適用できる。
【００９０】
例えば、自発光ディスプレイとよばれる有機ＥＬディスプレイ等でも、例えば、液晶表示装置とのハイブリッドにする等して、透過部と反射部とで異なる着色層を用いて表示を行う場合には、本表示装置の構成を応用することが可能である。
【００９１】
なお、本願は、２００５年４月５日に出願された日本国特許出願２００５−１０９２２６号、及び、２００５年１０月７日に出願された日本国特許出願２００５−２９５７７９号を基礎として、（合衆国法典３５巻第１１９条に基づく）優先権を主張するものである。該出願の内容は、その全体が本願中に参照として組み込まれている。
【符号の説明】
【００９２】
１０Ｂ、５０Ｂ：青色の着色層
１０Ｇ、５０Ｇ：緑色の着色層
１０Ｒ、５０Ｒ：赤色の着色層
１０Ｙ、５０Ｙ：黄色の着色層
１１：対向基板
１２：画素基板
１３：液晶層
２１：ガラス基板
２２：位相差板
２３：偏光板
２４：カラーフィルタ
３１：ガラス基板
３２：位相差板
３３：偏光板
３４：反射電極
３５：透明電極
３６：バックライト
３７：凸部
５０Ｗ：白色の着色層
ＢＭ：ブラックマトリクス
ａ：反射領域
ｂ：透過領域
Ｂ：青色の着色層
Ｃ：シアン色の着色層
Ｇ：緑色の着色層
Ｒ：赤色の着色層
Ｙ：黄色の着色層
【図１】
2010271737.tif 000003
【図２】
2010271737.tif 000004
【図３】
2010271737.tif 000005
【図４】
2010271737.tif 000006
【図５】
2010271737.tif 000007
【図６】
2010271737.tif 000008
【図７】
2010271737.tif 000009
【図８】
2010271737.tif 000010
【図９】
2010271737.tif 000011
【図１０】
2010271737.tif 000012
【図１１】
2010271737.tif 000013
【図１２】
2010271737.tif 000014
【図１３】
2010271737.tif 000015
【図１４】
2010271737.tif 000016
【図１５】
2010271737.tif 000017
【図１６】
2010271737.tif 000018
【図１７】
2010271737.tif 000019
【図１８】
2010271737.tif 000020
【図１９】
2010271737.tif 000021
【図２０】
2010271737.tif 000022
【図２１】
2010271737.tif 000023
【図２２】
2010271737.tif 000024